(57)【要約】【課題】本発明は、簡単な構造で、部品点数を抑え、分電盤設置現場での作業も円滑に行える配線覆いの取り付け構造を提供することを目的としている。【解決手段】本発明に係る配線覆いの取り付け構造は、キャビネットの背面内側の四隅に同じ構造の覆い立て４を固定し、覆い立て４端部には受け体４ｂを形成し、配線覆いを蝶着する場合に、蝶番は受け体４ｂに固定し、開閉側は配線覆いを受け体４ｂに支持させ、開口を施蓋することを特徴とする。【選択図】図１
2010041882.tif 000002
【特許請求の範囲】
【請求項１】
電気機器をキャビネット内に配列して構成される分電盤の、前記キャビネットの開口を施蓋して前記電気機器を被覆する配線覆いの取り付け構造であって、前記キャビネットの背面内側の四隅に同じ構造の覆い立てを固定し、該覆い立て端部には受け体を形成し、前記配線覆いを蝶着する場合に、蝶番は前記受け体に固定し、開閉側は前記配線覆いを前記受け体に支持させ、前記開口を施蓋することを特徴とする配線覆いの取り付け構造。
【請求項２】
前記配線覆いの取り付け構造であって、前記覆い立ての受け体に固定される蝶番は、左右対称の形状に蝶番受けを設けることを特徴とする請求項１に記載の配線覆いの取り付け構造。
【発明の詳細な説明】
【技術分野】
【０００１】
本発明は、電気機器をキャビネット内に配列して構成される分電盤の、キャビネットの開口を施蓋して電気機器を被覆する配線覆いの取り付け構造に関するものである。
【背景技術】
【０００２】
分電盤の開口を施蓋し、配線等を被覆するための配線覆いは、分電盤の背面内側の四隅に設けられた覆い立て３１に支持され取り付けられる。配線覆いの取り付け構造に用いられる部品は、覆い立て３２、蝶番３３、蝶番固定片３４、ツマミ固定片３５、固定具３６とがあった。覆い立ては、分電盤の四隅に取り付けられ、図４に示すように、回動動作による開閉式の場合、蝶番は、上側蝶番と下側蝶番とさらに左用と右用とに形状が異なっていた。
【０００３】
配線覆い側には、覆い立てに設けられた蝶番に組み付けられる蝶番ピン、ツマミ、ツマミ固定材とを取り付けていた。蝶番ピンを覆い立てに設けられた蝶番に嵌合させ、蝶番ピンを中心に配線覆いは回転動作により開閉可能に取り付けられていた。
【０００４】
図５に示すように、配線覆いを着脱動作により開閉可能な構造にする場合、蝶番部分を着脱部材に付け替えていた。
【特許文献１】特開平９−９４２６号公報
【発明の開示】
【発明が解決しようとする課題】
【０００５】
しかしながら、上記方法の配線覆いの取り付けは、設置位置により部材が複数種類必要となり、組立作業が煩雑なものになっていた。また、分電盤の設置現場で配線覆いの交換や改造を行う場合、それぞれの用途に合わせた部品を予め用意しておかなくてはならず、在庫管理が手間であるし、交換作業もいちいち部品も交換する必要があり面倒であった。
【課題を解決するための手段】
【０００６】
そこで本発明は、簡単な構造で、部品点数を抑え、分電盤設置現場での作業も円滑に行える配線覆いの取り付け構造を提供することを目的とし、その構造は、キャビネットの背面内側の四隅に同じ構造の覆い立てを固定し、覆い立て端部には受け体を形成し、配線覆いを蝶着する場合に、蝶番は受け体に固定し、開閉側は配線覆いを受け体に支持させ、開口を施蓋することを特徴とする。
【０００７】
また、覆い立ての受け体に固定される蝶番は、左右対称の形状に蝶番受けを設けることを特徴とする。
【発明の効果】
【０００８】
本発明に係る配線覆いの取り付け構造は、キャビネットの背面内側の四隅に同じ構造の覆い立てを固定し、覆い立て端部には受け体を形成し、配線覆いを蝶着する場合に、蝶番は受け体に固定し、開閉側は配線覆いを受け体に支持させ、開口を施蓋するため、配線覆いを蝶番により開閉可能にした場合、左右どちら側に開く場合も同じ部品で対応できるので、従来の配線覆いの取り付け構造は部品が多く管理が大変であったという点が解消される。部品の共用化により部品製作のコストを引き下げることができる。
【発明を実施するための最良の形態】
【０００９】
本発明に係る配線覆いの取り付け構造を図１〜図３の添付図面に基いて説明する。
【００１０】
分電盤１は、キャビネット２に主幹ブレーカや分岐ブレーカ等の電気機器を配列し構成される。電気機器間の配線部分に誤って触れてしまったり、塵埃の侵入を防止するために、配線覆い３で施蓋している。本発明は、配線覆い３の取り付け構造に関する。
【００１１】
キャビネット２の背面には、四隅に覆い立て４を設けている。覆い立て４はキャビネット取り付け部４ａと受け体４ｂとが形成されており、キャビネット取り付け部４ａをキャビネット２にネジ止めして固定する。受け体４ｂには蝶番受け５を取り付ける。配線覆い３を回動動作により開閉可能な構造とする場合、配線覆い３には、蝶番ピン６を設け、蝶番ピン６を蝶番受け５に嵌めこんで構成する。蝶番と反対側は、蝶番ピン６の代わりにつまみと、蝶番受け５に嵌合可能な嵌合体（図示せず）を設ける。蝶番ピン６を受け体４ｂに取り付ける際には、固定具７を介してネジ止めされる。
【００１２】
覆い立て３を構成する部品はすべて左右の方向性のない構造とし、配線覆い３を回動動作により開閉する場合、左右どちら側に蝶番を設けても、覆い立て４の部品は共用する。
【００１３】
また、回動動作による開閉式ではなく、図３に示すように、着脱式で開閉することも可能である。配線覆い８の左右には蝶番ピンではなく、蝶番受け９に嵌合可能な嵌合体１０を設け、嵌合体１０を蝶番受け９に嵌合させることで、配線覆い８を脱着して開閉する構造とする。この時、回動動作による開閉式で、蝶番を固定するための固定具は不用である。また、着脱式の配線覆い８は、嵌合によって取り付け取り外しをするため、配線覆い８を持ち上げるためのつまみ１１を取り付けることもできる。
【００１４】
また、蝶番受けは、左右対称の形状に形成することで、配線覆いを回動動作による開閉をさせる場合に、左開きでも右開きでも同じ蝶番受けで対応する。
【００１５】
以上述べたように、本発明に係る配線覆いの取り付け構造では、従来の配線覆いの取り付け構造と比べて、右開き用、左開き用、着脱用にそれぞれ用意していた部品を共用可能とした。組み立て時間の短縮が図ることのできる構造である。また、分電盤の設置現場での配線覆いの形態の変更も部品がそのまま使用できるので、その場で対応できる構造である。
【図面の簡単な説明】
【００１６】
【図１】本発明に係る配線覆いの取り付け構造における覆い立てを示す説明図である。
【図２】本発明に係る回動動作により開閉可能である配線覆いの取り付け構造を示すキャビネットの側断面図である。
【図３】本発明に係る着脱動作により開閉可能である配線覆いの取り付け構造を示すキャビネットの側断面図である。
【図４】従来の開閉式の配線覆いの取り付け構造を示す説明図である。
【図５】従来の着脱式の配線覆いの取り付け構造を示す説明図である。
【符号の説明】
【００１７】
１    分電盤
２    キャビネット
３    配線覆い
４    覆い立て
４ａ  キャビネット取り付け部
４ｂ  受け体
５    蝶番受け
６    蝶番ピン
７    固定具
８    配線覆い
９    蝶番受け
１０  嵌合体
１１  つまみ
【図１】
2010041882.tif 000003
【図２】
2010041882.tif 000004
【図３】
2010041882.tif 000005
【図４】
2010041882.tif 000006
【図５】
2010041882.tif 000007